(57)【特許請求の範囲】
【請求項１】
基板の両面を樹脂封止するための樹脂封止装置であって、
第１の成形モジュールと、第２の成形モジュールと、を含み、
前記第１の成形モジュールは、圧縮成形用の成形モジュールであり、
前記第２の成形モジュールは、トランスファ成形用の成形モジュールであり、
前記第１の成形モジュールにより、前記基板の一方の面を圧縮成形で樹脂封止可能であり、前記第２の成形モジュールにより、前記基板の他方の面をトランスファ成形で樹脂封止可能であり、
前記第１の成形モジュールは、上型及び下型の一方を含み、
前記第２の成形モジュールは、上型及び下型の他方と、中間型とを含み、
前記中間型は、前記第２の成形モジュールにおいて、前記上型の下方又は前記下型の上方に配置されており、
前記中間型は、前記基板の前記他方の面側を樹脂封止するためのキャビティを含み、
前記第２の成形モジュールにおいて、前記中間型の一方の面と、前記上型の下面又は前記下型の上面とが当接することにより、トランスファ成形用の樹脂を、前記キャビティ内へ注入可能な樹脂流路が形成されることを特徴とする樹脂封止装置。
【請求項２】
前記第１の成形モジュールは、下型を含み、
前記第２の成形モジュールは、上型及び中間型を含み、
前記第１の成形モジュールにより、前記基板の下面を圧縮成形で樹脂封止可能であり、前記第２の成形モジュールにより、前記基板の上面をトランスファ成形で樹脂封止可能であり、
前記中間型は、前記第２の成形モジュールにおいて、前記上型の下方に配置されており、
前記中間型のキャビティが、前記基板の上面側を樹脂封止するための上キャビティであり、
前記第２の成形モジュールにおいて、前記中間型の上面と、前記上型の下面とが当接することにより、前記樹脂流路が形成される、請求項１記載の樹脂封止装置。
【請求項３】
上型、中間型、及び下型を有する上下型成形モジュールを含み、
前記上下型成形モジュールが、前記第１の成形モジュールと、前記第２の成形モジュールとを兼ねており、
前記第１の成形モジュールにより、前記基板の前記一方の面を圧縮成形で樹脂封止した後、前記第２の成形モジュールにより、前記基板の前記他方の面をトランスファ成形で樹脂封止可能である、請求項１又は２記載の樹脂封止装置。
【請求項４】
前記基板は、その両面にチップが実装された実装基板である、請求項１から３のいずれか一項に記載の樹脂封止装置。
【請求項５】
前記樹脂流路の前記中間型のキャビティへの注入口が、前記中間型のキャビティの中心点付近の真上又は真下に位置する、請求項１から４のいずれか一項に記載の樹脂封止装置。
【請求項６】
さらに、エジェクターピンを含み、
前記エジェクターピンは、前記第１の成形モジュール及び前記第２の成形モジュールの少なくとも一方に備えられた成形型のキャビティ面から出し入れ可能に設けられており、
前記エジェクターピンは、
型開き時に、その先端が、前記キャビティ面から突出するように上昇又は降下可能であり、
型締め時に、その先端が、前記キャビティ面から突出しないように上昇又は降下可能である、請求項１から５のいずれか一項に記載の樹脂封止装置。
【請求項７】
前記エジェクターピンは、前記下型のキャビティの底面部及び前記中間型の上キャビティの上面部のいずれかに設けられており、
前記エジェクターピンは、
前記上型及び前記下型の一方と、前記中間型との型開き時に、その先端が、前記下型のキャビティの底面部又は前記中間型の上キャビティの上面部から突出するように突出可能であり、
前記上型及び前記下型の一方と、前記中間型との型締め時に、その先端が、前記下型のキャビティの底面部又は前記中間型の上キャビティの上面部から突出しないように埋没可能である、請求項６記載の樹脂封止装置。
【請求項８】
さらに、不要樹脂分離手段を含み、
前記不要樹脂分離手段は、前記基板の両面を樹脂封止した後に、不要樹脂部分を、前記樹脂封止済みの基板から分離可能である、請求項１から７のいずれか一項に記載の樹脂封止装置。
【請求項９】
基板の両面を樹脂封止する樹脂封止方法であって、
請求項１から８のいずれか一項に記載の樹脂封止装置を用いて行い、
前記中間型を、前記中間型のキャビティの周辺部分で、前記基板の前記他方の面と当接させる当接工程と、
前記第１の成形モジュールにより、前記基板の前記一方の面を圧縮成形で樹脂封止する第１の樹脂封止工程と、
前記当接工程及び前記第１の樹脂封止工程の後、前記第２の成形モジュールにおいて、前記中間型の一方の面と前記上型の下面又は前記下型の上面とが当接し、かつ、前記中間型が前記中間型のキャビティの周辺部分において前記基板の前記他方の面と当接した状態で、前記第２の成形モジュールにより、前記トランスファ成形用の流動樹脂を、前記樹脂流路を通じて前記中間型のキャビティ内へ注入させることにより、前記基板の前記他方の面をトランスファ成形で樹脂封止する第２の樹脂封止工程と、を含むことを特徴とする樹脂封止方法。
【発明の詳細な説明】
【技術分野】
【０００１】
本発明は、樹脂封止装置及び樹脂封止方法に関する。
【背景技術】
【０００２】
ＢＧＡ（Ｂａｌｌ  ｇｒｉｄ  ａｒｒａｙ）パッケージ等の電子部品の製造工程における樹脂封止工程では、基板の一方の面のみを樹脂封止することが一般的であった。しかしながら、ＤＲＡＭ（Ｄｙｎａｍｉｃ  Ｒａｎｄｏｍ  Ａｃｃｅｓｓ  Ｍｅｍｏｒｙ）対応のＢＯＣ（Ｂｏａｒｄ  Ｏｎ  Ｃｈｉｐ）パッケージ、ＷＢＧＡ（ＷｉｎｄｏｗＢＧＡ、商品名）パッケージの製造工程における樹脂封止工程では、基板の一方の面に加え、他方の面の一部の箇所を樹脂封止することが要求されている（例えば、特許文献１）。
【先行技術文献】
【特許文献】
【０００３】
【特許文献１】特開２００１−５３０９４号公報
【発明の概要】
【発明が解決しようとする課題】
【０００４】
前記基板の両面を樹脂封止するために、前記基板に穴（基板の一方の面側から他方の面側に樹脂を流し込むための穴、以下「開口」という。）を空けて、トランスファ成形により、前記基板の一方の面を樹脂封止するとともに、その開口から前記他方の面側に樹脂を回して前記他方の面を樹脂封止する樹脂封止方法がある。
【０００５】
一方、最近では、携帯機器等の高密度化に伴い、基板の一方の面及び他方の面（両面）のほぼ全面にチップを実装したパッケージが要求されている。前記パッケージの製造工程においては、前記基板の両面の各面のほぼ全面を樹脂封止する必要がある。
【０００６】
しかし、前記パッケージの製造において、前記樹脂封止方法を用いて前記基板の両面を同時に樹脂封止した場合、一方（上型あるいは下型）のキャビティ（上キャビティあるいは下キャビティ）に樹脂が先に充填されることがある。例えば、下型のキャビティ（下キャビティ）に先に樹脂が充填した場合、基板が凸状に反る（変形する）という問題が発生する。これは、トランスファ成形により両面を同時に樹脂封止すると、重力、流動抵抗等により、先に一方のキャビティに樹脂が充填される場合があるためである。その場合、樹脂が基板の一方の面側から基板の他方の面側に基板の開口を通って流動することになる。そうすると、樹脂が基板の開口から流動する際の流動抵抗により、基板が前記他方の面側に向かって膨らんでしまうおそれがある。そうなると、基板が膨らんだ状態で、他方のキャビティに樹脂が充填されることになる。樹脂が一方及び他方のキャビティに充填されることで、基板に樹脂圧が加わるが、基板の一方及び他方の面にかかる樹脂圧は同じ圧力（一方及び他方のキャビティは基板の開口により繋がっているため樹脂圧は同じになる）であり、基板を膨らんだ状態から平坦な状態に戻す力は発生しない。そのため、基板の他方の面側が膨らんだ状態で樹脂の硬化が進み、基板が膨らんだ状態（変形した状態）で成形が完了する。すなわち、前記樹脂封止方法を用いて前記基板の一方の面および他方の面（両面）を同時に樹脂封止すると、前記基板の変形が生じるおそれがある。
【０００７】
そこで、本発明は、基板の反りの抑制と基板の両面成形との両立が可能な樹脂封止装置及び樹脂封止方法の提供を目的とする。
【課題を解決するための手段】
【０００８】
前記目的を達成するために、本発明の樹脂封止装置は、
基板の両面を樹脂封止するための樹脂封止装置であって、
第１の成形モジュールと、第２の成形モジュールと、を含み、
前記第１の成形モジュールは、圧縮成形用の成形モジュールであり、
前記第２の成形モジュールは、トランスファ成形用の成形モジュールであり、
前記第１の成形モジュールにより、前記基板の一方の面を圧縮成形で樹脂封止可能であり、前記第２の成形モジュールにより、前記基板の他方の面をトランスファ成形で樹脂封止可能であり、
前記第１の成形モジュールは、上型及び下型の一方を含み、
前記第２の成形モジュールは、上型及び下型の他方と、中間型とを含み、
前記中間型は、前記第２の成形モジュールにおいて、前記上型の下方又は前記下型の上方に配置されており、
前記中間型は、前記基板の前記他方の面側を樹脂封止するためのキャビティを含み、
前記第２の成形モジュールにおいて、前記中間型の一方の面と、前記上型の下面又は前記下型の上面とが当接することにより、トランスファ成形用の樹脂を、前記上キャビティ内へ注入可能な樹脂流路が形成されることを特徴とする。
【０００９】
本発明の樹脂封止方法は、
基板の両面を樹脂封止する樹脂封止方法であって、
本発明の前記樹脂封止装置を用いて行い、
前記中間型を、前記中間型のキャビティの周辺部分で、前記基板の前記他方の面と当接させる当接工程と、
前記第１の成形モジュールにより、前記基板の前記一方の面を圧縮成形で樹脂封止する第１の樹脂封止工程と、
前記当接工程及び前記第１の樹脂封止工程の後、前記第２の成形モジュールにおいて、前記中間型の一方の面と、前記上型の下面又は前記下型の上面とが当接し、かつ、前記中間型が前記中間型のキャビティの周辺部分において前記基板の前記他方の面と当接した状態で、前記第２の成形モジュールにより、前記トランスファ成形用の流動樹脂を、前記樹脂流路を通じて前記中間型のキャビティ内へ注入させることにより、前記基板の前記他方の面をトランスファ成形で樹脂封止する第２の樹脂封止工程と、を含むことを特徴とする。
【発明の効果】
【００１０】
本発明によれば、基板の反りの抑制と基板の両面成形との両立が可能な樹脂封止装置及び樹脂封止方法を提供することができる。
【図面の簡単な説明】
【００１１】
【図１】図１（ａ）は、実施例１の樹脂封止装置の一例を示す断面図である。図１（ｂ）は、図１（ａ）の樹脂封止装置の変形例を示す断面図である。
【図２】図２は、実施例１の樹脂封止方法の一例の一工程を例示する断面図である。
【図３】図３は、図２と同一の樹脂封止方法における別の一工程を例示する断面図である。
【図４】図４は、図２と同一の樹脂封止方法におけるさらに別の一工程を例示する断面図である。
【図５】図５は、図２と同一の樹脂封止方法におけるさらに別の一工程を例示する断面図である。
【図６】図６は、図２と同一の樹脂封止方法におけるさらに別の一工程を例示する断面図である。
【図７】図７は、図２と同一の樹脂封止方法におけるさらに別の一工程を例示する断面図である。
【図８】図８は、図２と同一の樹脂封止方法におけるさらに別の一工程を例示する断面図である。
【図９】図９は、図２と同一の樹脂封止方法におけるさらに別の一工程を例示する断面図である。
【図１０】図１０は、図２と同一の樹脂封止方法におけるさらに別の一工程を例示する断面図である。
【図１１】図１１は、実施例２の樹脂封止装置の第１の成形モジュール及びそれにより樹脂封止される基板の断面図を示す。
【図１２】図１２は、実施例２の樹脂封止装置の第２の成形モジュール及びそれにより樹脂封止される基板の断面図を示す。
【図１３】図１３は、実施例２の樹脂封止方法における一例の一工程を例示する断面図である。
【図１４】図１４は、図１３と同一の樹脂封止方法におけるさらに別の一工程を例示する断面図である。
【図１５】図１５は、図１３と同一の樹脂封止方法におけるさらに別の一工程を例示する断面図である。
【図１６】図１６は、図１３と同一の樹脂封止方法におけるさらに別の一工程を例示する断面図である。
【図１７】図１７は、図１３と同一の樹脂封止方法におけるさらに別の一工程を例示する断面図である。
【図１８】図１８は、図１３と同一の樹脂封止方法におけるさらに別の一工程を例示する断面図である。
【図１９】図１９は、図１３と同一の樹脂封止方法におけるさらに別の一工程を例示する断面図である。
【図２０】図２０（ａ）〜（ｂ）は、本発明の樹脂封止装置により樹脂封止される基板を例示する断面図である。
【発明を実施するための形態】
【００１２】
つぎに、本発明について、例を挙げてさらに詳細に説明する。ただし、本発明は、以下の説明により限定されない。
【００１３】
本発明における、「樹脂封止」とは、樹脂が硬化（固化）した状態であることを意味するが、後述する両面で一括成形する場合には、これに限定されない。すなわち、本発明において、後述する両面で一括成形する場合には、「樹脂封止」とは、少なくとも樹脂が型締め時における型キャビティ内に満たされている状態であればよく、樹脂が硬化（固化）しておらず、流動状態でもよい。
【００１４】
本発明の樹脂封止装置は、前述のとおり、第１の成形モジュールと、第２の成形モジュールと、を含み、前記第１の成形モジュールは、圧縮成形用の成形モジュールであり、前記第２の成形モジュールは、トランスファ成形用の成形モジュールであり、前記第１の成形モジュールにより、前記基板の一方の面を圧縮成形で樹脂封止可能であり、前記第２の成形モジュールにより、前記基板の他方の面をトランスファ成形で樹脂封止可能であることを特徴とする。本発明の樹脂封止装置では、圧縮成形用の成形モジュールにより、前記基板の一方の面を先に圧縮成形で樹脂封止する（先に圧縮成形で一方のキャビティに樹脂を充填させる）。本発明で用いる基板には、樹脂を基板の一方の面側から他方の面側に流動させるための開口を設ける必要がない。そして、開口を設けないことにより、樹脂が基板の一方の面側から開口を通って基板の他方の面側に流動することはない。このため、樹脂が基板の開口を通る時の流動抵抗による基板の変形（反り）は発生しない。また、基板の他方の面を樹脂封止する際に、基板の前記一方の面を圧縮成形用の樹脂で支えることで、基板の前記他方の面側から樹脂圧をかけても基板の反りを抑制することができる。このため、本発明では、基板の反りの抑制と基板の両面成形とを両立可能である。
【００１５】
前述した従来の方法、すなわち基板に開口を空けて、トランスファ成形により、前記基板の両面を樹脂封止する方法では、前記基板に開口を空けることによるコストの問題がある。また、その開口から下面側に樹脂を回して樹脂封止する場合、前記一方の面の全面を樹脂封止するまでの流動距離が長くなり、ボイド（気泡）の発生、構成部品であるワイヤ等の変形が生じるという問題もある。
【００１６】
これに対し、本発明では、まず、前記基板に開口を空けずに、前記基板の両面の樹脂封止が可能であるため、前記基板に開口を空けることによるコストが発生せず、前記両面の樹脂封止するまでの流動距離も短く、ボイド（気泡）の発生、ワイヤの変形の抑制が可能である。
【００１７】
また、本発明の樹脂封止装置は、例えば、前記基板の下面を圧縮成形で樹脂封止し、前記基板の上面をトランスファ成形で樹脂封止する装置であっても良い。すなわち、本発明の樹脂封止装置において、前記第１の成形モジュールは、下型を含み、前記第２の成形モジュールは、上型及び中間型を含み、前記第１の成形モジュールにより、前記基板の下面を圧縮成形で樹脂封止可能であり、前記第２の成形モジュールにより、前記基板の上面をトランスファ成形で樹脂封止可能であり、前記中間型は、前記第２の成形モジュールにおいて、前記上型の下方に配置されており、前記中間型のキャビティが、前記基板の上面側を樹脂封止するための上キャビティであり、前記第２の成形モジュールにおいて、前記中間型の上面と、前記上型の下面とが当接することにより、前記樹脂流路が形成されても良い。ただし、本発明の樹脂封止装置は、これに限定されず、逆に、前記基板の上面を圧縮成形で樹脂封止し、前記基板の下面をトランスファ成形で樹脂封止する装置であっても良い。すなわち、本発明の樹脂封止装置において、前記第１の成形モジュールは、上型を含み、前記第２の成形モジュールは、下型及び中間型を含み、前記第１の成形モジュールにより、前記基板の上面を圧縮成形で樹脂封止可能であり、前記第２の成形モジュールにより、前記基板の下面をトランスファ成形で樹脂封止可能であり、前記中間型は、前記第２の成形モジュールにおいて、前記下型の上方に配置されており、前記中間型のキャビティが、前記基板の下面側を樹脂封止するための下キャビティであり、前記第２の成形モジュールにおいて、前記中間型の下面と、前記下型の上面とが当接することにより、前記樹脂流路が形成されても良い。
【００１８】
また、本発明によれば、上型及び下型の一方をリリースフィルムで被覆して圧縮成形するとともに、他方においてトランスファ成形することが可能である。以下、前記第１の成形モジュールが下型を含み、前記第２の成形モジュールが上型及び中間型を含む場合について説明する。すなわち、そのような場合、本発明の樹脂封止装置における前記中間型には、上キャビティが設けられている。上型と中間型とを当接することで上キャビティに樹脂を供給するための樹脂通路が形成される。そして、この樹脂流路を介して、下型のポットに供給された樹脂がプランジャによって中間型の上キャビティに注入されるように構成されている。ゆえに、下型の下キャビティ周辺部分に樹脂流路を設けなくても良くなる（中間型を設けることで、樹脂流路を下型の下キャビティ周辺部を通らずに効率良く迂回させることができる）。このため、下型の型面（下キャビティ）にリリースフィルムを被覆した場合でも、下型とリリースフィルムとの境目（隙間）部分に樹脂流路を設けなくても良くなる。ゆえに、樹脂が下型とリリースフィルムとの境目（隙間）上を流動しなくても良くなり、樹脂が下型とリリースフィルムとの境目（隙間）から下型に入り込むおそれが低減する。結果として、リリースフィルムを用いても安定して圧縮成形することが可能であり、好ましい。より具体的に説明すると、一般的には、下型において圧縮成形する場合、下型の型面をリリースフィルムで被覆する。これは、例えば、成形された樹脂封止品の離型を容易にするため、または、下型の各部材間（例えば、下キャビティ底面部材と下キャビティ枠部材との間）の隙間に圧縮成形用樹脂が入り込むのを防ぐためである。しかし、上型においてトランスファ成形するための樹脂流路を下型の下キャビティ周辺に設けた場合、トランスファ成形用の樹脂が下型とリリースフィルムとの境目（隙間）上を流動することになり、樹脂が下型とリリースフィルムとの境目（隙間）から下型に入り込む恐れがある。一方、本発明によれば、前述のとおり、上型と中間型とを当接することで樹脂流路を形成している。これにより、トランスファ成形用の前記樹脂流路を、下型とリリースフィルムとの境目（隙間）から隔離することができる。したがって、本発明によれば、トランスファ成形用の樹脂が、下型とリリースフィルムとの境目（隙間）に入り込むことを防止可能である。このため、本発明によれば、下型の型面をリリースフィルムで被覆して圧縮成形し、かつ、上型及び中間型においてトランスファ成形することが可能である。以上、前述のとおり、前記第１の成形モジュールが下型を含み、前記第２の成形モジュールが上型及び中間型を含む場合について説明したが、この逆の場合についても同様である。すなわち、前記第１の成形モジュールが上型を含み、前記第２の成形モジュールが下型及び中間型を含む場合においても、同様のメカニズムにより、上型の型面をリリースフィルムで被覆して圧縮成形し、かつ、下型及び中間型においてトランスファ成形することが可能である。
【００１９】
本発明の樹脂封止装置は、上下型成形モジュール（１つの成形モジュール）が、前記第１の成形モジュールと、前記第２の成形モジュールとを兼ねてもよい。この場合、前記第１の成形モジュールにより、前記基板の前記一方の面を圧縮成形で樹脂封止した後、前記第２の成形モジュールにより、前記基板の前記他方の面をトランスファ成形で樹脂封止可能である。これにより、前記基板の両面を一つの成形モジュールを用いて一括成形することができるので生産効率が向上し、構成も簡略化されるため、コスト削減が可能であり、好ましい。
【００２０】
本発明の樹脂封止装置は、前述の通り、前記基板の一方の面を圧縮成形で樹脂封止した後、前記基板の他方の面をトランスファ成形で樹脂封止可能である。このようにして、前記基板の両面を樹脂封止すれば、基板（他方の面）に設けた端子を封止樹脂から露出した状態で成形することが容易である。前記端子を露出させる目的は、基板への電気接続のためである。
【００２１】
本発明の樹脂封止装置は、前記樹脂流路の前記中間型のキャビティへの注入口が、前記中間型のキャビティの中心点付近の真上又は真下に位置することが好ましい。例えば、前記第２の成形モジュールが上型及び中間型を含み、前記中間型のキャビティが、前記基板の上面側を樹脂封止するための上キャビティである場合、前記樹脂流路の前記上キャビティへの注入口が、前記上キャビティの中心点付近の真上に位置することが好ましい。逆に、前記第２の成形モジュールが下型及び中間型を含み、前記中間型のキャビティが、前記基板の下面側を樹脂封止するための下キャビティである場合、前記樹脂流路の前記下キャビティへの注入口が、前記下キャビティの中心点付近の真下に位置することが好ましい。これにより、前記トランスファ成形用の樹脂は、前記中心点付近から、前記中間型のキャビティの外周へ向かってほぼ均等に流動する。このため、例えば、前記中間型のキャビティの一端側から他端側へ向かって前記樹脂が流動する場合に比べて、前記中間型のキャビティ内の残留空気を効率よく排出できるため、ボイド（気泡）の発生を抑制可能である。より具体的には、例えば、前記中間型のキャビティ内の残留空気を分散させて、前記中間型のキャビティ外周に設けたエアベントから排出することができる。また、前記樹脂が前記中間型のキャビティの中心点付近から外周に向かって流動すると、前記中間型のキャビティの一端側から他端側へ向かって流動する場合に比べて、流動距離が短くなるため、ワイヤの変形を抑制可能である。より具体的には、例えば、前記中間型のキャビティの一端側に前記注入口を設けた場合、前記注入口側において樹脂通過量が多いために、ワイヤが変形しやすくなる。これに対し、前記中心点付近に前記注入口を設け、前記樹脂が前記中間型のキャビティの中心点付近から外周に向かって流動すると、前記上キャビティ内における樹脂通過量を均一に近くすることができる。これにより、ワイヤの変形を抑制可能なのである。
【００２２】
本発明の樹脂封止装置は、さらに、エジェクターピンを含んでもよい。前記エジェクターピンは、例えば、前記第１の成形モジュール及び前記第２の成形モジュールの少なくとも一方に備えられた成形型のキャビティ面から出し入れ可能に設けられていても良い。この場合、前記エジェクターピンは、例えば、型開き時に、その先端が、前記キャビティ面から突出するように上昇又は降下可能であり、型締め時に、その先端が、前記キャビティ面から突出しないように上昇又は降下可能である。また、前記エジェクターピンは、例えば、前記下型のキャビティの底面部及び前記中間型の上キャビティの上面部のいずれかに設けられていても良い。この場合、前記エジェクターピンは、例えば、前記上型及び前記下型の一方と、前記中間型との型開き時に、その先端が、前記下型のキャビティの底面部又は前記中間型の上キャビティの上面部から突出可能であり、前記上型及び前記下型の一方と、前記中間型との型締め時に、その先端が、前記下型のキャビティの底面部又は前記中間型の上キャビティの上面部から突出しないように埋没可能である。これにより、樹脂封止後済みの基板及び樹脂封止後の不要樹脂部分を前記下型及び前記中間型から容易に離型することができるため、好ましい。なお、前記エジェクターピンが設けられた成形型は、例えば、上型でも良く、下型でも良く、又は、上型及び下型の両方でも良い。
【００２３】
本発明の樹脂封止装置は、さらに、不要樹脂分離手段を含んでもよい。前記不要樹脂分離手段は、前記基板の両面を樹脂封止した後に、不要樹脂部分を、前記樹脂封止済みの基板から分離可能であってもよい。前記不要樹脂分離手段としては、特に制限されず、例えば、ゲートカット、ディゲート等の公知の方式に用いられる分離用治具等が挙げられる。
【００２４】
本発明の樹脂封止装置は、ローダを含んでもよい。前記ローダは、例えば、不要樹脂部を回収し、排出する。また、ローダに備えたバキューム、ブラシ等により、例えば、前記第１の成形モジュール及び前記第２の成形モジュールをクリーニングし、例えば、前記上型と前記中間型と前記下型とをクリーニングする。
【００２５】
本発明の樹脂封止装置は、さらに、基板搬送機構及び樹脂搬送機構を含んでもよい。前記基板搬送機構は、樹脂封止される基板を各成形モジュールの所定の位置に搬送する。前記基板搬送機構は、樹脂封止される前の基板と、樹脂封止された後の基板との、一方のみを搬送しても良いし、両方を搬送しても良い。樹脂封止される前の基板を搬送する樹脂搬送機構と、樹脂封止された後の基板を搬送する樹脂搬送機構とは、同一でも良いし異なっていても良い。前記樹脂搬送機構は、例えば、前記下型に供給されるための圧縮成形用の樹脂を前記下キャビティ上に搬送する。前記樹脂搬送機構は、例えば、タブレット状の樹脂を、ポットの位置に搬送しても良い。下キャビティ上に樹脂を搬送する樹脂搬送機構と、タブレット状の樹脂をポットの位置に搬送する樹脂搬送機構とは、異なっていても良いし同一でも良い。また、前記樹脂封止装置は、例えば、前記基板搬送機構が、前記樹脂搬送機構を兼ねる構成であってもよい。
【００２６】
本発明の樹脂封止装置は、さらに、基板反転機構を含んでもよい。前記基板反転機構は、樹脂封止される基板の上下を反転してもよい。
【００２７】
本発明の樹脂封止装置は、例えば、圧縮成形用の成形モジュールにより、圧縮成形を行う場合に、樹脂量のバラツキを吸収するために、圧縮成形用の成形モジュールのキャビティを構成するブロック（部材）にスプリングを設け、前記樹脂に圧力を加えてもよい。また、前記キャビティを構成するブロック（部材）に、ボールネジ又は油圧シリンダ等を取り付けて、直動で加圧してもよい。
【００２８】
本発明の樹脂封止装置は、前記下型に、成形された樹脂封止品の成形型からの離型を容易にするためのリリースフィルムを設けてもよいし、設けなくてもよい。
【００２９】
なお、例えば、キャビティ内に含まれる空気や、樹脂に含まれる水分等が加熱されることで気体になったガス等が封止樹脂内に含まれる場合、ボイド（気泡）が発生することがある。ボイド（気泡）が発生すると樹脂封止品の耐久性あるいは信頼性を低下させるおそれがある。そこで、必要に応じてボイド（気泡）を低減させるために、真空（減圧）状態で樹脂封止成形を行うための真空ポンプ等を含んでもよい。
【００３０】
本発明の樹脂封止装置により、樹脂封止される基板としては、例えば、その両面にチップが実装された実装基板である。前記実装基板としては、例えば、図２０（ａ）に示すように、その両面の一方には、チップ１と、前記チップ１及び基板２を電気的に接続するワイヤ３と、を設け、その両面の他方には、フリップチップ４と、外部端子としてボール端子５とを設けた実装基板１１等が挙げられる。
【００３１】
ここで、前記構成を有する基板の両面を成形する場合は、少なくとも一方の面からボール端子５を露出させる必要がある。ボール端子５を圧縮成形側で露出させる場合は、ボール端子５をリリースフィルムに押し付けて露出させることが好ましい。また、必要に応じて、ボール端子５を露出させるために封止樹脂に研削処理等を行ってもよい。一方、端子をトランスファ成形側で露出させる場合は、例えば、図２０（ｂ）の実装基板に示すように、ボール端子５に代えて、露出させる面が平らな端子６とし、トランスファ成形用の成形モジュールの型に設けた凸部で、予め型締めを行って、平らな端子６を押し付けて露出させることが好ましい。尚、図２０（ｂ）の実装基板１１は、図２０（ａ）の実装基板１１のボール端子５を前記上面に設けず、前記下面に設け、平らな端子６としたこと以外は、図２０（ａ）の実装基板１１と同一である。これにより、確実な露出が可能となるため、好ましい。
【００３２】
本発明において、樹脂封止される基板は、図２０（ａ）及び図２０（ｂ）の各実装基板１１に限定されず、任意である。前記樹脂封止される基板としては、例えば、チップ１、フリップチップ４、及びボール端子５（又は平らな端子６）の少なくとも一つが、図２０（ａ）及び（ｂ）のように基板２の一方の面に実装されていてもよいし、基板２の両面に実装されていてもよい。また、例えば、前記基板に対する電気的な接続（例えば、前記基板に対する電源回路、信号回路等の接続）ができるのであれば、前記端子はなくてもよい。尚、基板２、チップ１、フリップチップ４、及びボール端子５（又は平らな端子６）の各形状、各大きさは、特に限定されない。
【００３３】
本発明の樹脂封止装置により樹脂封止される基板としては、例えば、携帯通信端末用の高周波モジュール基板等が挙げられる。前記携帯通信端末用の基板では、前記基板の両面を樹脂封止するために、クレードル部に開口を空けることが可能であるが、前記開口を空ける必要のない樹脂封止成形法が望まれている。また、前記携帯通信端末用の基板は、小型であり、部品が高密度で内蔵されている場合には、前記開口を空けて樹脂封止成形することが困難な場合がある。これに対し、本発明の樹脂封止装置では、前述の通り、前記開口を空けることなく、前記基板の両面を樹脂封止可能であり、このような小型であり、部品が高密度で内蔵されている基板についても適用可能である。本発明の樹脂封止装置により樹脂封止される基板としては、特に限定されないが、例えば、電力制御用モジュール基板、機器制御用基板等が挙げられる。
【００３４】
前記樹脂としては、特に制限されず、例えば、エポキシ樹脂やシリコーン樹脂などの熱硬化性樹脂であってもよいし、熱可塑性樹脂であってもよい。また、熱硬化性樹脂あるいは熱可塑性樹脂を一部に含んだ複合材料であってもよい。供給する樹脂の形態としては、例えば、顆粒樹脂、流動性樹脂、シート状の樹脂、タブレット状の樹脂、粉状の樹脂等が挙げられる。本発明において、前記流動性樹脂とは、流動性を有する樹脂であれば、特に制限されず、例えば、液状樹脂、溶融樹脂等が挙げられる。本発明において、前記液状樹脂とは、例えば、室温で液体である、又は流動性を有する樹脂をいう。本発明において、前記溶融樹脂とは、例えば、溶融により、液状又は流動性を有する状態となった樹脂をいう。前記樹脂の形態は、成形型のキャビティやポット等に供給可能であれば、その他の形態でも構わない。
【００３５】
尚、一般に、「電子部品」は、樹脂封止する前のチップをいう場合と、チップを樹脂封止した状態をいう場合とがあるが、本発明において、単に「電子部品」という場合は、特に断らない限り、前記チップが樹脂封止された電子部品（完成品としての電子部品）をいう。本発明において、「チップ」は、樹脂封止する前のチップをいい、具体的には、例えば、ＩＣ、半導体チップ、電力制御用の半導体素子等のチップが挙げられる。本発明において、樹脂封止する前のチップは、樹脂封止後の電子部品と区別するために、便宜上「チップ」という。しかし、本発明における「チップ」は、樹脂封止する前のチップであれば、特に限定されず、チップ状でなくてもよい。
【００３６】
本発明において、「フリップチップ」とは、ＩＣチップ表面部の電極（ボンディングパット）にバンプと呼ばれる瘤状の突起電極を有するＩＣチップ、あるいはそのようなチップ形態のことをいう。このチップを、下向きに（フェースダウン）してプリント基板などの配線部に実装させる。前記フリップチップは、例えば、ワイヤレスボンディング用のチップあるいは実装方式の一つとして用いられる。
【００３７】
本発明の樹脂封止方法は、前述のとおり、基板の両面を樹脂封止する樹脂封止方法であって、前記基板の一方の面を圧縮成形で樹脂封止する第１の樹脂封止工程と、前記第１の樹脂封止工程の後、前記基板の他方の面をトランスファ成形で樹脂封止する第２の樹脂封止工程と、を含むことを特徴とする。本発明の樹脂封止方法では、前記基板の前記一方の面を先に圧縮成形で樹脂封止するため、前記他方の面を樹脂封止する際に、前記一方の面を圧縮成形用の樹脂で支えることで、前記他方の面側から基板に対して樹脂圧をかけても基板の反りを抑制することができる。このため、本発明では、基板の反りの抑制と基板の両面成形を両立可能である。なお、本発明の樹脂封止方法において、例えば、前記基板の下面を先に圧縮成形で樹脂封止し、その後に前記基板の上面をトランスファ成形で樹脂封止しても良い。すなわち、本発明の樹脂封止方法は、基板の両面を樹脂封止する樹脂封止方法であって、前記本発明の樹脂封止装置を用いて行い、前記中間型を、前記上キャビティの周辺部分で、前記基板の上面と当接させる当接工程と、前記第１の成形モジュールにより、前記基板の下面を圧縮成形で樹脂封止する第１の樹脂封止工程と、前記当接工程及び前記第１の樹脂封止工程の後、前記中間型の上面と前記上型の下面とが当接し、かつ、前記中間型が前記上キャビティの周辺部分において、前記基板の上面と当接した状態で、前記第２の成形モジュールにより、前記トランスファ成形用の流動樹脂を、前記樹脂流路を通じて前記上キャビティ内へ注入させることにより、前記基板の上面をトランスファ成形で樹脂封止する第２の樹脂封止工程と、を含む樹脂封止方法であっても良い。
【００３８】
また、本発明の樹脂封止方法は、前記第２の樹脂封止工程において、前述のとおり、前記中間型の一方の面と前記上型の下面又は前記下型の上面とが当接した状態で、前記トランスファ成形用の流動樹脂を、前記樹脂流路を通じて前記中間型のキャビティ内へ注入させる。これにより、前述のとおり、圧縮成形用の型とそれを被覆するリリースフィルムとの境目（隙間）部分に樹脂流路を設けなくても良くなる。このため、前記トランスファ成形用の前記樹脂流路を、前記圧縮成形用の型と前記リリースフィルムとの境目（隙間）から隔離することができる。したがって、本発明の樹脂方法によれば、トランスファ成形用の樹脂が、下型とリリースフィルムとの境目（隙間）に入り込むおそれが低減する。このため、本発明の樹脂封止方法によれば、上型及び下型の一方の型面をリリースフィルムで被覆して圧縮成形し、かつ、上型及び下型の他方と中間型とにおいてトランスファ成形することが可能である。
【００３９】
本発明の樹脂封止方法は、前述の通り、前記基板の一方の面を圧縮成形で樹脂封止した後、前記基板の他方の面をトランスファ成形で樹脂封止可能である。このようにして、前記基板の両面を樹脂封止すれば、トランスファ成形した面（前記上面）に設けた端子を封止樹脂から露出した状態で成形することが容易である。前記端子を露出させる目的は、基板への電気的な接続のためである。
【００４０】
本発明の樹脂封止方法は、本発明の前記樹脂封止装置を用いて、前記第１の樹脂封止工程において、前記下型により、前記基板の下面を圧縮成形で樹脂封止し、前記第２の樹脂封止工程において、前記第１の樹脂封止工程後、前記上型により、前記基板の上面をトランスファ成形で樹脂封止してもよい。
【００４１】
本発明の樹脂封止方法は、本発明の前記樹脂封止装置を用いて、前記樹脂流路の前記中間型のキャビティへの注入口が、前記キャビティの中心点付近の真上又は真下に位置するようにしてもよい。
【００４２】
本発明の樹脂封止方法は、前記第１の成形モジュール及び前記第２の成形モジュールの少なくとも一方に備えられた成形型のキャビティ面から出し入れ可能なエジェクターピンが設けられた本発明の前記樹脂封止装置を用いて行っても良い。その場合、本発明の樹脂封止方法は、型開き時に、前記エジェクターピンの先端が、前記キャビティ面から突出するように上昇又は降下する工程と、型締め時に、前記エジェクターピンの先端が、前記キャビティ面から突出しないように上昇又は降下する工程と、を含んでもよい。
【００４３】
本発明の樹脂封止方法は、本発明の前記樹脂封止装置を用いて、前記基板の両面を樹脂封止した後に、不要樹脂部分を、前記樹脂封止済みの基板から分離する不要樹脂分離工程を含んでもよい。
【００４４】
以下、本発明の具体的な実施例を図面に基づいて説明する。各図は、説明の便宜のため、適宜省略、誇張等をして模式的に描いている。なお、以下の各実施例及び図面においては、第１の成形モジュール（圧縮成形用の成形モジュール）が下型を含み、第２の成形モジュール（トランスファ成形用の成形モジュール）が上型及び中間型を含む例について説明する。しかし、本発明は、前述のとおり、これに限定されず、第１の成形モジュール（圧縮成形用の成形モジュール）が上型を含み、第２の成形モジュール（トランスファ成形用の成形モジュール）が下型及び中間型を含んでいても良い。
【実施例１】
【００４５】
本実施例では、まず、本発明の樹脂封止装置の一例について説明し、次に、本発明の樹脂封止方法の一例について説明する。尚、本実施例で用いる基板は、図２０（ａ）の基板２と同一である。
【００４６】
本実施例の樹脂封止装置は、上下型成形モジュール（一つの成形モジュール）が、前記第１の成形モジュールと、前記第２の成形モジュールとを兼ねる。前記上下型成形モジュールには、上型、中間型、及び下型が設けられている。前記上型及び前記中間型が、トランスファ成形用の成形型であり、前記下型が、圧縮成形用の成形型である。
【００４７】
図１（ａ）は、本実施例の樹脂封止装置を示す。図１（ａ）に示すとおり、上下型成形モジュール１０は、上型２００と、中間型２５０と、上型２００に対向配置された下型３００とを構成要素とする。下型３００の型面（上面）には、図示のように、例えば、成形された樹脂封止品の成形型からの離型を容易にするためのリリースフィルム４０を、吸着（装着）して固定することができる。
【００４８】
本実施例の樹脂封止装置では、上型２００が、トランスファ成形用の成形型であり、例えば、上型ベースブロック２１０、上型メインブロック２２０、上型センターブロック２３０、並びにＯリング２０４Ａ及び２０４Ｂを有する上型外気遮断部材２０３を含む。
【００４９】
上型ベースブロック２１０の外周位置には、例えば、上型外気遮断部材２０３が設けられている。上型外気遮断部材２０３は、後述するように、例えば、下型外気遮断部材３０２と後述するＯリング２０４Ｂを介して当接することにより、キャビティ内を外気遮断状態にすることができる。上型外気遮断部材２０３の上端面（上型ベースブロック２１０及び上型外気遮断部材２０３に挟まれた部分）には、例えば、外気遮断用のＯリング２０４Ａが設けられている。また、上型外気遮断部材２０３の下端面にも、例えば、外気遮断用のＯリング２０４Ｂが設けられている。さらに、上型ベースブロック２１０には、例えば、型内の空間部の空気を強制的に吸引して減圧するための上型の孔（貫通孔）２０５が設けられている。また、上型２００は、例えば、上下型成形モジュール１０の固定盤（図示略）に固定される。また、上型２００、中間型２５０あるいは上下型成形モジュール１０には、例えば、上型２００及び中間型２５０を加熱するための加熱手段（図示略）が設けられている。前記加熱手段で上型２００を加熱することで、上キャビティ２５３内の樹脂が加熱されて硬化（溶融して硬化）する。なお、前記加熱手段は、例えば、上型２００、中間型２５０、及び下型３００のいずれかに設けてもよく、上型２００、中間型２５０、及び下型３００の少なくとも一方を加熱できるのであれば、その位置は限定されない。
【００５０】
中間型２５０は、上型２００と下型３００との中間に配置されている。中間型２５０は、例えば、基板２の上面側を樹脂封止するための上キャビティ２５３を含む。また、中間型２５０の上面と上型２００の下面とを当接することにより、トランスファ成形用の樹脂を、上キャビティ２５３内へ注入可能な樹脂流路２５４が形成される。樹脂流路２５４には、樹脂加圧用のポット３０５が接続されている。ポット３０５の内部に配置されたプランジャ３０６は、上下型成形モジュール１０に設けられたプランジャ駆動機構（図示略）によって、上下方向に動くことができる。樹脂をポット３０５（プランジャ３０６上）に供給（セット）し、プランジャ３０６を上型２００及び中間型２５０に近づく方向に動かすことで、プランジャ３０６が樹脂を押圧して、樹脂流路２５４を介して注入口２５５から上キャビティ２５３に注入することができる。
【００５１】
下型３００は、圧縮成形用の成形型であり、例えば、下キャビティ底面部材３２０、下キャビティ枠部材３２１、複数の弾性部材３２２、Ｏリング３０３を有する下型外気遮断部材３０２、ポット３０５を囲むポットブロック３１５、及び下型ベースブロック３０１を含む。下型３００は、下キャビティ底面部材３２０及び下キャビティ枠部材３２１により、下キャビティ３１０が構成される。下キャビティ枠部材３２１は、例えば、下キャビティ底面部材３２０を囲むように配置されている。下キャビティ枠部材３２１及び下キャビティ底面部材３２０は、例えば、複数の弾性部材３２２を介して下型ベースブロック３０１に載置した状態で装設されている。下型べースブロック３０１の外周位置には、例えば、下型外気遮断部材３０２が設けられている。下型外気遮断部材３０２は、例えば、上型外気遮断部材２０３並びに外気遮断用のＯリング２０４Ａ及び２０４Ｂの真下に配置されている。下型外気遮断部材３０２の下端面（下型ベースブロック３０１及び下型外気遮断部材３０２に挟まれた部分）には、例えば、外気遮断用のＯリング３０３が設けられている。以上の構成を有することにより、上下型の型締時に、Ｏリング２０４Ａ及び２０４Ｂを含む上型外気遮断部材２０３と、Ｏリング３０３を含む下型外気遮断部材３０２とをＯリング２０４Ｂを介して接合することで、キャビティ内を外気遮断状態にすることができる。
【００５２】
下型３００の下キャビティ３１０の底面部には、さらに、エジェクターピン（図示略）が設けられていてもよい。前記エジェクターピンは、１本でも良いが、複数本でも良い。前記各エジェクターピンは、前記上型及び中間型と、前記下型との型開き時に、その先端が、下型３００の下キャビティ３１０の底面から突出するように上昇し、前記上型及び中間型と、前記下型との型締め時に、その先端が、下型３００の下キャビティ３１０の底面から突出しないように降下してもよい。
【００５３】
本実施例の樹脂封止装置は、さらに、不要樹脂分離手段（図示略）を含んでもよい。前記不要樹脂分離手段は、前記基板の両面を樹脂封止した後に、不要樹脂部分を、前記樹脂封止済みの基板から分離可能であってもよい。
【００５４】
尚、本発明では、中間型２５０の注入口２５５の位置を任意の場所に設定してもよいが、例えば、図１（ｂ）に示すように、上キャビティの中心点付近の真上に位置することが好ましい。これにより、前述のとおり、前記トランスファ成形用の樹脂は、前記中心点付近から、前記上キャビティの外周へ向かってほぼ均等に流動するため、ボイドの発生を抑制可能である。ボイドの発生を抑制可能な理由について、詳しくは前述のとおりである。また、前記上キャビティの一端側から他端側へ向かって前記樹脂が流動する場合に比べて、流動距離が短くなるため、ワイヤの変形を抑制可能である。流動距離が短くなることによりワイヤの変形を抑制可能な理由について、詳しくは前述のとおりである。図１（ｂ）に示す樹脂封止装置は、前記注入口が、上キャビティ２５３の中心点付近の真上に位置すること以外は、図１（ａ）に示す樹脂封止装置と同一である。
【００５５】
次に、本実施例の樹脂封止方法について図２〜図１０を用いて説明する。以下では、本実施例の樹脂封止装置を用いた樹脂封止方法について説明する。より具体的には、図２〜１０の樹脂封止装置は、図１（ａ）の樹脂封止装置と同一である。前記樹脂封止方法は、前記第１の樹脂封止工程及び前記第２の樹脂封止工程を、上下型成形モジュール１０により行う。
【００５６】
本実施例の樹脂封止方法では、前記第１の樹脂封止工程に先立ち、以下で説明する成形型昇温工程、リリースフィルム供給工程、基板供給工程、当接工程、及び樹脂供給工程を行う。前記成形型昇温工程、リリースフィルム供給工程、前記基板供給工程、及び前記樹脂供給工程は、前記樹脂封止方法において、任意の構成要素である。
【００５７】
まず、加熱手段（図示略）が成形型（上型２００及び下型３００）を加熱して、成形型（上型２００及び下型３００）が樹脂を硬化（溶融して硬化）させることができる温度まで昇温させる（成形型昇温工程）。次に、図２に示すように、中間型２５０の上面と、上型２００の下面とを当接させる。次に、下型３００にリリースフィルム４０を供給する（リリースフィルム供給工程）。なお、前記リリースフィルム供給工程では、リリースフィルム４０のみを下型３００に供給し、後述するように、追ってリリースフィルム４０上に顆粒樹脂２０ａを供給しても良い。または、前記リリーフィルム供給工程において、顆粒樹脂２０ａを載置したリリースフィルム４０を、顆粒樹脂２０ａとともに下型３００に供給しても良い。次に、上型２００に基板２を供給する（基板供給工程）。次に、基板２を、例えば、基板クランパ又は吸引穴（図示略）で中間型２５０に固定（吸着して固定）する。ここでは、中間型２５０を、上キャビティ２５３の周辺部分で、基板２の上面と当接させる（当接工程）。
【００５８】
そして、図２に示すように、下キャビティ３１０に、顆粒樹脂２０ａを供給する（樹脂供給工程）。前述のとおり、前記リリースフィルム供給工程において、リリースフィルム４０を顆粒樹脂２０ａとともに下型３００に供給しても良い。すなわち、前記リリースフィルム供給工程が、前記樹脂供給工程を兼ねていても良い。また、前記樹脂供給工程において、顆粒樹脂２０ａの供給と同時に、または別に、タブレット樹脂（図示略）をポット３０５内に供給しても良い。または、前記タブレット樹脂は、あらかじめポット３０５内に供給されていても良い。次に、前記成形型昇温工程において前記加熱手段（図示略）であらかじめ加熱された下型３００により、顆粒樹脂２０ａが溶融されて、図３に示すように溶融樹脂（流動性樹脂）２０ｂになる。さらに、昇温されているポット３０５（及び下型３００）によってポット３０５内のタブレット樹脂（図示略）が加熱されて溶融して、図３に示すように溶融樹脂（流動性樹脂）３０ａになる。尚、前記樹脂供給工程は、前記基板供給工程と同時に行ってもよい。
【００５９】
次に、図４〜５に示すとおり、前記第１の樹脂封止工程を行う。本実施例では、前記第１の樹脂封止工程により、基板２の下面を圧縮成形で樹脂封止するが、前記圧縮成形で樹脂封止する方法の一例として、具体的には、以下で説明する中間型締め工程及び下キャビティ樹脂充填工程を行う。
【００６０】
まず、図４に示すように、下型３００を、駆動機構（図示略）により、上昇させて、中間型締めを行う（中間型締め工程）。この状態では、上型外気遮断部材２０３及び下型外気遮断部材３０２がＯリング２０４Ｂを介して接合され、型内は、外気から遮断された状態となる。そして、上型２００の孔２０５から図４に示す矢印方向Ｘの吸引を開始して型内を減圧させる。この場合、十分に減圧させるため、いったん下型３００を停止させてもよい。
【００６１】
次に、図５に示すように、下型３００を、駆動機構（図示略）により、下キャビティ３１０内の流動性樹脂２０ｂにフリップチップ４及びボール端子５が浸漬する位置まで上昇させて、その位置で下型３００を一旦停止する（下キャビティ樹脂充填工程）。尚、溶融樹脂（流動性樹脂）２０ｂが低粘度であり、下型側から基板２に対して樹脂圧を加えて一時的に基板の反りが発生したとしても、その後に、上キャビティ２５３に溶融樹脂（流動性樹脂）３０ａが充填し、上型側から基板に対して樹脂圧を加えることで基板の反りが低減し、基板の反りが問題ないレベルになるのであれば、この時点で下キャビティに樹脂圧が加わる位置まで下型３００を上昇させてもよい。
【００６２】
次に、図６〜７に示すとおり、前記第２の樹脂封止工程を行う。本実施例では、前記第２の樹脂封止工程により、基板２の上面をトランスファ成形で樹脂封止する、前記トランスファ成形で樹脂封止する方法の一例として、具体的には、以下で説明する上キャビティ樹脂充填工程及び型開き工程を行う。
【００６３】
まず、図６に示すように、例えば、プランジャ駆動機構（図示略）により、プランジャ３０６を、上キャビティ２５３に流動性樹脂３０ａが充填する位置まで上昇させて、その位置でプランジャ３０６を一旦停止させる（上キャビティ樹脂充填工程）。前記上キャビティ樹脂充填工程においては、トランスファ成形用の流動性樹脂３０ａを樹脂流路２５４内へ流動させ、さらに上キャビティ２５３内へ注入させることにより、基板２の上面をトランスファ成形で樹脂封止する。前記上キャビティ樹脂充填工程では、図７に示すように、さらに、下型３００及びプランジャ３０６を同時に上昇させて、下キャビティ３１０内の流動性樹脂２０ｂにより基板２の下面に樹脂圧をかけても良い。また、すでに下キャビティ３１０内の流動性樹脂２０ｂにより基板２の下面に樹脂圧がかかっている場合は、下型３００を上昇させずにプランジャ３０６のみを上昇させても良い。このように、基板２の下面を圧縮成形用の流動性樹脂２０ｂにより支えることで、基板の上面側から下面側に向かって樹脂圧を加えても、基板の反りを抑制できる。
【００６４】
次に、図８に示すように、流動性樹脂２０ｂ及び流動性樹脂３０ａが硬化し、封止樹脂２０及び３０が形成された後に、例えば、下型３００と中間型２５０を下降させて型開きを行ってもよい（型開き工程）。この場合、下型３００と中間型２５０とは、クランパ（図示略）等で固定されていてもよい。
【００６５】
このように、本実施例の樹脂封止方法は、圧縮成形用の成形モジュールにより、基板２の下面を先に圧縮成形で樹脂封止するため、上面をトランスファ成形で樹脂封止する際に、基板２の下面を圧縮成形用の流動性樹脂２０ｂで支えることで、上面側から基板に対して樹脂圧をかけても基板２の反りを抑制することができる。このため、本実施例では、基板２の反りの抑制と基板２の両面成形とを両立可能である。また、基板２の両面を一つの成形モジュールを用いて一括成形することができるので生産効率が向上し、構成も簡略化されるため、コスト削減が可能である。また、本実施例では図示していないが、上面をトランスファ成形で樹脂封止することにより、基板２の上面に設けた端子を封止樹脂から露出した状態で成形することも可能である。これについては実施例２（図１１〜１９）で説明する。
【００６６】
また、本実施例の樹脂封止方法は、前記第２の樹脂封止工程において、中間型２５０の上面と上型２００の下面とが当接し、中間型２５０の上キャビティ２５３に樹脂を供給するための樹脂流路２５４が形成される。そして、この樹脂流路２５４を介して、トランスファ成形用の流動性樹脂３０ａが、注入口２５５から中間型の上キャビティ２５３に注入されるように構成される。このようにして樹脂流路２５４を形成することで、下型３００とリリースフィルム４０との境目（隙間）部分に樹脂流路を設けなくても良い。このため、図２〜図７に示すように、下型３００にリリースフィルム４０を貼って圧縮成形しても、トランスファ成形用の流動性樹脂３０ａが下型とリリースフィルム４０との境目（隙間）に入り込むことを防止可能である。
【００６７】
図７に示す不要樹脂部３１Ａが、例えば、上型２００に付いている場合は、上型２００に設置したエジェクターピン（図示略）で不要樹脂部３１Ａを上型２００から離型させてもよい。また、不要樹脂部３１Ａが、例えば、中間型２５０に付いている場合は、プランジャ３０６を上昇させて不要樹脂部３１Ａを中間型２５０から離型させればよい。
【００６８】
次に、図８に示すように、前記型開きした型内にローダ８０を進入させて、ローダ８０が不要樹脂部３１Ａを回収する。例えば、ローダ８０が上型２００と中間型２５０とをバキューム、ブラシ等でクリーニングしてもよい。その後、ローダ８０を型内から退去させてもよい。尚、ローダ８０は、基板２、流動性樹脂２０ｂ及び流動性樹脂３０ａを搬送する搬送手段を兼ねてもよいし、不要樹脂部３１Ａを搬出する不要樹脂部搬出手段を兼ねていてもよい。
【００６９】
次に、図９に示すように、例えば、下型３００を、駆動機構（図示略）により上昇させて再び型を閉じる。そして、下型３００と中間型２５０との固定を解除して、上型２００と中間型２５０とを固定する。この場合、上型２００と中間型２５０とは、例えば、クランパ等で固定しておけばよい。
【００７０】
次に、図１０に示すように、例えば、下型３００を下降させて型を開いてもよい。この場合、中間型２５０に樹脂封止済み（成形済み）基板２が付かないように上型２００に設けたエジェクタピン（図示略）で突いて離型させてもよい。そして、ローダ８０を型内に進入させて、ローダ８０が樹脂封止済み（成形済み）基板２とリリースフィルム４０とを回収してもよい。この場合、樹脂封止済み（成形済み）基板２及びリリースフィルム４０は、一緒に回収してもよいし、別々に回収してもよい。その後、ローダ８０が下型３００と中間型２５０とをバキューム、ブラシ等でクリーニングしてもよい。その後、ローダ８０を型内から退去させる。
【００７１】
本実施例の樹脂封止方法では、さらに、樹脂封止済み（成形済み）基板２及び不要樹脂部３１Ａを成形型から一緒に回収した後に、前記不要樹脂分離手段（図示略）により、樹脂封止済み（成形済み）基板２と不要樹脂部３１Ａとを分離してもよい。尚、樹脂封止済み（成形済み）基板２と不要樹脂部３１とを分離した後に、上下型成形モジュール１０から一緒に、又は別々に、樹脂封止済み（成形済み）基板２と不要樹脂部３１Ａとを回収してもよい。
【００７２】
また、本実施例では、成形型の両キャビティのうち下キャビティを、圧縮成形で先に充填させている。これにより、前述のとおり、基板の反り（変形）の抑制と基板の両面成形の両立が可能である。その理由は、圧縮成形であればキャビティに供給する樹脂（圧縮成形用の樹脂）の樹脂量を調整することが可能だからである。例えば、樹脂の体積を調整する場合は、樹脂の比重が分かっていれば、供給する樹脂の重さを測ることで調整できる。具体的には、例えば、圧縮成形用の樹脂量を、基板が平坦な状態における下キャビティと略同じ体積にして、下キャビティに圧縮成形用の樹脂を供給して充填させる。そうすると、少なくとも樹脂量の過不足による基板の膨らみあるいはへこみの発生を抑制できる。その後、上キャビティに樹脂を充填させて、基板の他方の面側から樹脂圧を加えても、下キャビティと略同じ体積の圧縮成形用の樹脂が基板の下面側から支えるので、基板が平坦な状態で成形を完了できる。
【００７３】
一方、例えばトランスファ成形で一方のキャビティを先に充填させた場合、プランジャの上下位置によって前記一方のキャビティに供給される樹脂量が変化する。したがって、樹脂量の過不足による基板の膨らみあるいはへこみが発生するおそれがある。ゆえに、圧縮成形で一方のキャビティを先に充填させた方が好ましい。
【００７４】
なお、圧縮成形で下キャビティを先に充填させる場合に、仮に、溶融状態の圧縮成形用の樹脂が高粘度であると、その樹脂を下キャビティに充填させる際に基板に対して強い抵抗力が働く場合がある。その場合、下キャビティ全体に樹脂が充填されずに、未充填部分の体積分によって基板が膨らむことがある。そのような場合でも、上キャビティに樹脂を充填させて、基板の上面側から樹脂圧を基板に対して加えることで、膨らんだ基板が平坦化され、下キャビティ全体に樹脂を充填させることができる。
【実施例２】
【００７５】
次に、本発明の別の実施例について、すなわち、本発明の樹脂封止装置及び本発明の樹脂封止方法の別の一例について説明する。本実施例で用いる基板は、平らな端子６の数が異なること、及び、平らな端子６がフリップチップ４と同じ側に設けられていること以外は、図２０（ｂ）に示す基板２とほぼ同様である。なお、平らな端子６の数は、本実施例（図１１〜１９）では２、図２０（ｂ）では３であるが、これらの数は単なる例示であり、本発明をなんら限定しない。チップ１、ワイヤ３、フリップチップ４及びボール端子５（実施例１及び図２０（ａ））も同様である。
【００７６】
本実施例の樹脂封止装置は、圧縮成形用の下型を有する第１の成形モジュール、並びにトランスファ成形用の上型及び中間型を有する第２の成形モジュールの２つの成形モジュールを含み、前記第１の成形モジュールの下型により、前記基板の下面を圧縮成形で樹脂封止可能であり、前記第２の成形モジュールの上型及び中間型により、前記基板の上面をトランスファ成形で樹脂封止可能である。さらに、本実施例の樹脂封止装置は、例えば、基板搬送機構を含んでもよい。
【００７７】
図１１は、本実施例の樹脂封止装置の第１の成形モジュール５００及びそれにより樹脂封止される基板２の断面図を示す。図１１に示すように、第１の成形モジュール５００は、基板保持部材（上型）６００と、基板保持部材（上型）６００に対向配置された下型７００とを含む。
【００７８】
基板保持部材（上型）６００は、例えば、コンプレッサ、圧縮空気タンク等の高圧ガス源６５０と連通接続する連通部材６１０、キャビティ上面及び枠部材６２０、基板２に実装された平らな端子６を露出させるための凸部材６３０、複数の弾性部材６０２、並びにプレート部材６４０から形成されている。キャビティ上面及び枠部材６２０は、キャビティ６０１を有する。連通部材６１０並びにキャビティ上面及び枠部材６２０は、例えば、複数の弾性部材６０２を介して、プレート部材６４０に垂下した状態で装設されている。前記連通部材６１０は、例えば、高圧ガス源６５０により圧縮した空気をキャビティ６０１に圧送させるための空気通路（エア路）６０３が設けられている。キャビティ上面及び枠部材６２０は、例えば、キャビティ６０１を有する上キャビティ上面部材と、上キャビティ上面部材を囲む枠部材とが一体化された構成をとる。キャビティ６０１の上面には、連通部材６１０の空気通路６０３とキャビティ６０１とを連通させるための空気孔６０４が複数設けられている。
【００７９】
本実施例において、凸部材６３０は、第１の成形モジュール５００による樹脂封止で基板２が反らないように、例えば、平らな端子６の上面に接する位置等のように、基板２を押さえてもよい部分に設けることが好ましい。
【００８０】
下型７００は、圧縮成形用の成形型であり、例えば、下キャビティ底面部材７１０、下キャビティ枠部材７２０、複数の弾性部材７０２、及び下型ベースブロック７３０を含む。下型７００は、下キャビティ底面部材７１０及び下キャビティ枠部材７２０により囲まれた位置に、下型のキャビティ（下キャビティ）７０１が構成される。下キャビティ底面部材７１０は、例えば、下型ベースブロック７３０に載置した状態で装設されている。下キャビティ枠部材７２０は、例えば、複数の弾性部材７０２を介して下型ベースブロック７３０に載置した状態で、下キャビティ底面部材７１０を囲むように配置されている。また、下キャビティ底面部材７１０と下キャビティ枠部材７２０との隙間により、摺動孔７１１が形成されている。後述するように、摺動孔７１１を通じた吸引により、例えば、リリースフィルム等を吸着することができる。下型７００には、例えば、下型７００を加熱するための加熱手段（図示略）が設けられている。前記加熱手段で、下型７００を加熱することで、下キャビティ７０１内の樹脂が加熱されて硬化（溶融して硬化）する。下型７００は、例えば、第１の成形モジュール５００に設けられた駆動機構（図示略）によって上下方向に動くことができる。また、下型７００の下型外気遮断部材については、簡略化のために図示及び詳しい説明を省略している。
【００８１】
図１２は、本実施例の樹脂封止装置の第２の成形モジュール８００及びそれにより樹脂封止される基板２の断面図を示す。図１２に示すように、第２の成形モジュール８００は、例えば、上型９００、中間型９５０、及び上型９００に対向配置された基板保持部材（下型）１０００とを含む。
【００８２】
上型９００は、上型ベースブロック２１０、上型メインブロック２２０、上型センターブロック２３０、及び複数の弾性部材２４０を含み、複数の弾性部材２４０を介して上型メインブロック２２０が上型ベースブロック２１０に垂下していること以外は、実施例１の図１（ａ）の上型２００と同様である。なお、上型９００の上型外気遮断部材については、簡略化のために図示及び詳しい説明を省略している。
【００８３】
中間型９５０は、上キャビティ面の一部に凸部材９３０が取り付けられていること以外は、実施例１の図１（ａ）の中間型２５０と同様である。
【００８４】
基板保持部材（下型）１０００は、第１の成形モジュール５００により上面を樹脂封止した基板２を載置するためのプレートであり、例えば、キャビティ下面部材１０１０、キャビティ下面部材１０１０を囲むキャビティ枠部材１０２０、複数の弾性部材１０３０、及びベース部材１０４０から形成されている。基板保持部材（下型）１０００は、キャビティ下面部材１０１０及びキャビティ枠部材１０２０により、キャビティ１００１が構成される。キャビティ下面部材１０１０及びキャビティ枠部材１０２０は、複数の弾性部材１０３０を介してベース部材１０４０に載置した状態で装設されている。基板２は、図１２に示すとおり、樹脂封止領域がキャビティ１００１に収容されるようにして基板保持部材（下型）１０００に載置される。第２の成形モジュール８００には、例えば、ポット９６０を加熱するための加熱手段（図示略）が設けられている。前記加熱手段（図示略）により、ポット９６０を加熱することで、ポット９６０に供給（セット）された樹脂が加熱されて硬化（溶融して硬化）する。基板保持部材（下型）１０００は、例えば、第２の成形モジュール８００に設けられた基板保持部材駆動機構（図示略）によって、上下方向に動くことができる。
【００８５】
尚、本実施例では、第１の成形モジュール５００（図１１）において、キャビティ６０１に圧縮空気を供給する構成に代えて、キャビティ６０１をゲル状の固体で満たすようにしてもよい。前記ゲル状の固体で基板２を押さえることにより、基板２の反りを抑制することができる。
【００８６】
次に、本実施例の樹脂封止方法について、図１３〜図１９を用いて説明する。以下では、本実施例の樹脂封止装置を用いた樹脂封止方法について説明するが、本実施例の樹脂封止方法は、前記樹脂封止装置を用いることに限定されない。
【００８７】
本実施例の樹脂封止方法では、前記第１の樹脂封止工程に先立ち、以下で説明する基板供給工程及び樹脂供給工程を行う。各工程は、前記樹脂封止方法において、任意の構成要素である。
【００８８】
まず、図１３に示すように、基板搬送機構１１００により、第１の成形モジュール５００の基板保持部材（上型）６００に基板２を供給し、基板クランパ及び吸引穴（図示略）により基板２を固定する（基板供給工程）。基板供給工程後に、基板搬送機構１１００を退出させる。
【００８９】
次に、基板保持部材（上型）６００と下型７００との間に、樹脂搬送機構（図示略）を進入させる。前記樹脂搬送機構により、図１４に示すように、リリースフィルム１３０、リリースフィルム１３０上に載置された樹脂枠部材１４０、及び樹脂枠部材１４０の内部貫通孔１４０Ａに供給された顆粒樹脂１５０ａを、下型７００に搬送する。そして、下キャビティ底面部材７１０と下キャビティ枠部材７２０との隙間の摺動孔７１１から、図１４に示す矢印方向Ｙへの吸引によりリリースフィルム１３０を吸着することで、下キャビティ７０１にリリースフィルム１３０と顆粒樹脂１５０ａとを供給する（樹脂供給工程）。その後、前記樹脂搬送機構及び樹脂枠部材１４０を退出させる。
【００９０】
次に、図１５〜図１６に示すとおり、本実施例の前記第１の樹脂封止工程を行う。本実施例では、前記第１の樹脂封止工程により、下型７００を有する前記第１の成形モジュール５００を用いて、基板２の下面を圧縮成形で樹脂封止する。
【００９１】
具体的には、まず、図１５に示すように、加熱手段（図示略）により昇温された下型７００によって、顆粒樹脂１５０ａが加熱されて溶融して溶融樹脂（流動性樹脂）１５０ｂになる。次に、図１５に示すように、下型７００を、駆動機構（図示略）により上昇させて、下キャビティ７０１内に充填された溶融樹脂（流動性樹脂）１５０ｂに、基板２下面に取付けられたチップ１及びワイヤ３を浸漬させる。これと同時、又は、少し遅れたタイミングで、高圧ガス源６５０が、図１５の矢印方向に、基板保持部材（上型）６００に成形圧と同じ圧力の空気を供給する。これにより、基板反りが抑制されながら、基板２の下面を樹脂封止することができる。
【００９２】
次に、図１６に示すように、溶融樹脂（流動性樹脂）１５０ｂが硬化し、封止樹脂１５０が形成された後に、下型７００を、駆動機構（図示略）により下降させて型開きを行う（型開き工程）。型開きをするとき、例えば、図１６に示すように、摺動孔７１１を通じた吸引を解除しても良い。そして、型開き後、基板搬送機構１１００により、下面が成形された基板２を、第２の成形モジュール８００へ搬送する（第２モジュール搬送工程）。
【００９３】
次に、図１６に示した基板搬送機構１１００により、図１７に示すとおり、基板２を第２の成形モジュール８００の基板保持部材（下型）１０００へ搬送する。次に、第２の成形モジュール８００の中間型９５０の上面と、上型９００の下面とを当接させる。この工程は、基板搬送機構１１００による基板２の基板保持部材（下型）１０００への搬送前に行ってもよい。次に、樹脂搬送機構（図示略）により、ポットへタブレット樹脂を供給し、さらに、加熱手段（図示略）により昇温されたポット（及び下型１０００）によってタブレット樹脂が加熱されて溶融して、図１７に示すように溶融樹脂（流動性樹脂）９７１ａになる（樹脂供給工程）。前記タブレット樹脂の供給は、基板搬送機構１１００が行ってもよい。
【００９４】
次に、図１８に示すように、上型９００及び中間型９５０と、基板保持部材（下型）１０００との型締めを行うことにより、中間型９５０を、上キャビティの周辺部分で、基板２の上面と当接させる（当接工程）。このとき、図１８に示すように、中間型９５０の上キャビティ面に取付けられた凸部材９３０の下面を、基板２上面に取付けられた平らな端子６の上面に当接させて押圧する。
【００９５】
さらに、図１８〜図１９に示すとおり、本実施例の前記第２の樹脂封止工程を行う。すなわち、第２の成形モジュール８００により、基板２の上面をトランスファ成形で樹脂封止する。具体的には、まず、図１８に示すように、基板保持部材（下型）１０００を、基板保持部材駆動機構（図示略）により上昇させて基板２をクランプする。そして、図１９に示すように、プランジャ９７０を、プランジャ駆動機構（図示略）により上昇させて上キャビティ９０１に流動性樹脂９７１ａを充填し、さらに、流動性樹脂９７１ａを硬化させて、図１９に示すとおり封止樹脂９７１とする。このようにして、基板２の上面を封止樹脂９７１で樹脂封止し、成形する。このとき、前述のとおり、平らな端子６の上面は、凸部材９３０の下面に当接して押圧されているため、溶融樹脂９７１ａに浸漬しない。したがって、平らな端子６の上面が封止樹脂９７１から露出した状態で樹脂封止することができる。
【００９６】
このように、本実施例の樹脂封止方法は、圧縮成形用の成形モジュールにより、前記基板２の下面を先に圧縮成形で樹脂封止するため、上面をトランスファ成形で樹脂封止する際に、下面を圧縮成形用の樹脂で支えることで、上面側から基板に対して樹脂圧をかけても基板の反りを抑制することができる。このため、本実施例では、基板の反りの抑制と基板の両面成形を両立可能である。また、本実施例では、上面をトランスファ成形で樹脂封止するため、基板（上面）に設けた端子を封止樹脂から露出した状態で成形することが容易である。
【００９７】
また、本発明の樹脂封止方法は、前記第２の樹脂封止工程において、前記中間型９５０の上面と前記上型９００の下面とが当接し、かつ、前記中間型９５０は、前記上キャビティの周辺部分において、前記基板２の上面と当接した状態で、前記トランスファ成形用の流動樹脂９７１ａを前記樹脂流路へ流動させる。これにより、流動させた流動性樹脂９７１ａを、前記基板２の下面側へ漏出させることなく、前記上キャビティ内へ注入させることができる。また、本実施例では、下型による圧縮成形と、上型及び中間型によるトランスファ成形とを別モジュールで行うため、例えば、前記下型をリリースフィルムで被覆して圧縮成形しても、下型とリリースフィルムとの間にトランスファ成形用の樹脂が入り込むことを防止できる。
【００９８】
本実施例では、実施例１と同様に、不要樹脂部（図示略）を離型させてもよいし、前記ローダを用いて樹脂封止済み（成形済み）基板２及びリリースフィルム１３０を回収してもよいし、前記不要樹脂部を回収してもよいし、成形型をクリーニングしてもよいし、枠部材を用いて樹脂封止方法を行ってもよい。
【００９９】
本発明は、上述の実施例に限定されるものではなく、本発明の趣旨を逸脱しない範囲内で、必要に応じて、任意にかつ適宜に組み合わせ、変更し、又は選択して採用できるものである。
【符号の説明】
【０１００】
１    チップ
２    基板
３    ワイヤ
４    フリップチップ
５    ボール端子
６    平らな端子
１０    上下型成形モジュール
１１    実装基板
２０ａ、１５０ａ    顆粒樹脂
２０ｂ、３０ａ、１５０ｂ、９７１ａ    溶融樹脂（流動性樹脂）
２０、３０、１５０、９７１    封止樹脂
１４０Ａ  内部貫通孔
３１Ａ  不要樹脂部
４０、１３０    リリースフィルム
８０    ローダ
１４０    樹脂枠部材
２００、９００    上型
２０３    上型外気遮断部材
２０４Ａ、２０４Ｂ、３０３    Ｏリング
２０５    上型の孔
２１０    上型ベースブロック
２２０    上型メインブロック
２３０    上型センターブロック
２４０、３２２、６０２、７０２、１０３０    弾性部材
２５０、９５０    中間型
２５３、９０１    上キャビティ
２５４    樹脂流路
２５５    注入口
３００、７００    下型
３０１、７３０    下型ベースブロック
３０２    下型外気遮断部材
３０５、９６０    ポット
３０６、９７０    プランジャ
３１０、７０１        下キャビティ
３１５        ポットブロック
３２０、７１０        下キャビティ底面部材
３２１、７２０        下キャビティ枠部材
３１０、７０１    下キャビティ
５００    第１の成形モジュール
６００    基板保持部材（上型）
６０１、１００１    キャビティ
６０３    空気通路
６０４    空気孔
６１０    連通部材
６２０    キャビティ上面及び枠部材
６３０、９３０    凸部材
６４０    プレート部材
６５０    高圧ガス源
７１１    摺動孔
８００    第２の成形モジュール
１０００  基板保持部材（下型）
１０１０  キャビティ下面部材
１０２０  キャビティ枠部材
１０４０  ベース部材
１１００  基板搬送機構
Ｘ、Ｙ    矢印
【図１】
0006598642.tif 000002
【図２】
0006598642.tif 000003
【図３】
0006598642.tif 000004
【図４】
0006598642.tif 000005
【図５】
0006598642.tif 000006
【図６】
0006598642.tif 000007
【図７】
0006598642.tif 000008
【図８】
0006598642.tif 000009
【図９】
0006598642.tif 000010
【図１０】
0006598642.tif 000011
【図１１】
0006598642.tif 000012
【図１２】
0006598642.tif 000013
【図１３】
0006598642.tif 000014
【図１４】
0006598642.tif 000015
【図１５】
0006598642.tif 000016
【図１６】
0006598642.tif 000017
【図１７】
0006598642.tif 000018
【図１８】
0006598642.tif 000019
【図１９】
0006598642.tif 000020
【図２０】
0006598642.tif 000021